【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
クライアント装置から、視覚的に観察されているデジタル画像、及び前記デジタル画像に関連付けられる電子形式の第１のデータについての電子形式の第１のリクエストを受信するステップと、
前記デジタル画像について第１のキーを生成するステップであって、前記第１のキーは、前記デジタル画像をユニークに識別する、ステップと、
前記第１のキーを、画像データベースに記憶された画像について以前に又はオンザフライで生成されたキーの少なくとも１つと比較するステップであって、前記以前に又はオンザフライで生成されたキーは、前記画像データベースに記憶された画像をユニークに識別する、ステップと、
前記以前に又はオンザフライで生成されたキーのうち、予め決められた許容誤差の範囲内で前記第１のキーに正確に合致する第２のキーを識別するステップと、
前記正確な合致に応じて、前記第２のキーとペアにされる第１の値を取り出すステップと、
前記第１の値に基づいて、前記デジタル画像に関連付けられる前記第１のデータを取り出すステップと、
前記クライアント装置に、前記取り出された第１のデータを返すステップと、
を含み、
前記デジタル画像について前記第１のキーを生成する前記ステップが、
予め決められたサンプリングパターンを使用して前記デジタル画像をサンプリングするステップであって、前記サンプリングされるデータは、前記デジタル画像の電子的に圧縮された表現を有する、ステップと、
前記デジタル画像を生成したイメージングモダリティ又は前記デジタル画像に表現される解剖学的領域の１又は複数に基づいて、複数の異なるサンプリングパターンから前記サンプリングパターンを識別するステップと、
を更に含む、方法。
【請求項２】
前記取り出された第１のデータは、前記デジタル画像を処理するソフトウェアアプリケーション、前記デジタル画像のすでに処理されたバージョン、視覚的に観察されている前記デジタル画像に埋め込まれる情報、又は前記デジタル画像に表現される対象又は被検体の履歴のうち１又は複数を含む、請求項１に記載の方法。
【請求項３】
前記以前に生成されたキーとの正確な合致が見つからないこと、又は前記以前に生成されたキーが存在しないこと、の少なくとも一方に応じて、オンザフライでキーを生成するステップを更に含む、請求項１又は２に記載の方法。
【請求項４】
オンザフライで前記第２のキーを生成することは、
前記画像データベースから、前記受信されたデジタル画像と同じ画像である記憶されたデジタル画像を取り出し、
前記取り出されたデジタル画像について前記第２のキーを生成し、
前記第１のデータを前記第２のキーと関連付け、
前記第１のキーを前記第２のキーと比較し、
前記第１及び前記第２のキーが合致することを決定する、ことを含む、請求項１乃至３のいずれか１項に記載の方法。
【請求項５】
オンザフライで前記第２のキーを生成することは、
前記画像データベースから前記受信されたデジタル画像と同じ画像でない記憶されたデジタル画像を取り出し、
前記取り出されたデジタル画像について第３のキーを生成し、
第２のデータを前記第３のキーと関連付け、
前記第１のキーを前記第３のキーと比較し、
前記第１及び前記第１のキーが合致することを決定し、
前記画像データベースから、前記受信されたデジタル画像と同じ画像である次の記憶されたデジタル画像を取り出し、
前記取り出されたデジタル画像について第２のキーを生成し、
前記第１のデータを前記第２のキーと関連付け、
前記第１のキーを前記第２のキーと比較し、
前記第１及び前記第２のキーが合致することを決定すること、
を含む、請求項１乃至４のいずれか１項に記載の方法。
【請求項６】
処理すべき前記画像データベース内の画像の数を低減するためにフィルタを適用するステップを更に含む、請求項４乃至５のいずれか１項に記載の方法。
【請求項７】
前記フィルタは、予め決められた特性を有する前記画像のサブセットを抽出し、及び／又は前記フィルタは、予め決められた処理順序を適用する、請求項６に記載の方法。
【請求項８】
キーデータベースを生成すること又は更新することの少なくとも一方を行うために、前記クライアント装置から電子形式の第２のリクエストを受信するステップと、
前記画像データベースから第１の個別の画像を取り出すステップと、
前記第１の個別の画像について第４のキーを生成するステップであって、前記第４のキーは、前記第１の個別の画像をユニークに識別する、ステップと、
第３のデータを前記取り出された第１の個別の画像と関連付けるステップと、
前記第４のキー、及び前記キーデータベース内の前記取り出された第１の個別の画像に関連付けられる前記第３のデータを識別するキー／値のペアを記憶するステップと、
を更に含む、請求項１乃至７のいずれか１項に記載の方法。
【請求項９】
前記デジタル画像をサンプリングする前に前記デジタル画像を正規化するステップと、
前記サンプルを後処理するステップと、
前記サンプルを電子ファイルにパッケージし、それによりキーを生成するステップと、
を更に含む、請求項１又は８に記載の方法。
【請求項１０】
画像フィンガプリンタモジュールの命令を記憶するメモリと、
ビットマップデジタル画像を受け取り、前記ビットマップデジタル画像の電子的な圧縮表現である第１のキーを生成するプロセッサであって、前記第１のキーは、前記ビットマップデジタル画像をユニークに識別する、プロセッサと、
を有し、前記プロセッサが更に、
予め決められたサンプリングパターンを使用して前記デジタル画像をサンプリングするステップであって、前記サンプリングされるデータは、前記デジタル画像の電子的に圧縮された表現を有する、ステップと、
前記デジタル画像を生成したイメージングモダリティ又は前記デジタル画像に表現される解剖学的領域の１又は複数に基づいて、複数の異なるサンプリングパターンから前記サンプリングパターンを識別するステップと、
を実行するよう構成される、コンピューティングシステム。
【請求項１１】
前記プロセッサは、前記第１のキーをデータに関連付け、前記第１のキー及び前記データについてキー／値のペアを生成し、前記キー／値のペアを、検索可能なルックアップテーブルデータベースに記憶する、請求項１０に記載のコンピューティングシステム。
【請求項１２】
前記プロセッサは、予め決められたサンプリングパターンを使用して前記デジタル画像をサンプリングし、前記サンプルを電子ファイルにパッケージし、それにより前記キーを生成する、請求項１１に記載のコンピューティングシステム。
【請求項１３】
前記プロセッサは、正確な合致が、前記第１のキーと、第２のキーである、画像データベースに記憶された画像について以前に生成されたキーとの間に見つけられるまで、前記第１のキーを、前記以前に生成されたキーと比較し、前記第２のキーに関連付けられるデータを取り出し、要求元のエンティティに、前記取り出されたデータを返す、請求項１０に記載のコンピューティングシステム。
【請求項１４】
前記プロセッサは、画像データベースに記憶された画像についてのキーをオンザフライで反復的に生成し、正確な合致が、前記第１のキーと、第２のキーである、オンザフライで生成されたキーとの間に見つけられるまで、前記第１のキーを、現在オンザフライで生成されたキーと比較し、前記第２のキーに関連付けられるデータを取り出し、要求元のエンティティに、前記取り出されたデータを返す、請求項１０に記載のコンピューティングシステム。
【請求項１５】
前記プロセッサは、前記プロセッサが以前に生成されたキー又は以前に生成されていないキーと前記第１のキーを合致させないことに応じて、オンザフライでキーを生成する、請求項１２に記載のコンピューティングシステム。